(57)【要約】      （修正有）【課題】ウェブ状で搬送されるフィルムを、溝付きロール上でレザー刃を用いて切断するスリッター装置において、レザー刃の切断できるフィルム量を増加させる。【解決手段】レザー刃１におけるフィルム２０の切断点５を変更するフィルム切断点変更機構７と、レーザ刃１の切断点変更にともなうレザー刃の下降点が干渉しない溝１１を有する溝付きロール１０と、フィルム２０を搬送する搬送ロール３０に取り付けられたフィルム２０の搬送距離を検出するエンコーダ３１と、制御部６０と、を備え、制御部６０は、エンコーダ３１の検出するフィルム２０の搬送距離が所定の搬送距離に到達した時にフィルム切断点変更機構７に指示を出し、レザー刃１におけるフィルムの切断点５を自動的に変更する。【選択図】図１
2020110869.tif 000002
【特許請求の範囲】
【請求項１】
ウェブ状のフィルムの切断を、溝付きロール上でレザー刃を用いて行うスリッター装置であって、
レザー刃におけるフィルムの切断点を変更する、フィルム切断点変更機構と、
レザー刃の切断点変更にともなうレザー刃の下降点が干渉しない深さの溝を有する溝付きロールと、
ウェブを搬送する搬送ローラに取り付けられたウェブの搬送距離を検出するエンコーダと、
前記エンコーダと、前記レーザ刃角度変更機構に通信接続された制御部と、
を備え、
前記制御部は、前記エンコーダの検出するウェブの搬送距離が所定の搬送距離に到達した時に、前記フィルム切断点変更機構に指示を出し、レザー刃におけるフィルムの裁断点を自動的に変更することを行うことを特徴とするスリッター装置。
【請求項２】
前記制御部は、前記エンコーダの検出するウェブの搬送距離が所定の搬送距離に到達した時に、フィルム搬送を停止し、前記フィルム切断点変更機構に指示を出し、レザー刃におけるフィルムの切断点を自動的に変更することを行うことを特徴とする請求項１記載のスリッター装置。
【請求項３】
前記フィルム切断点変更機構は、レーザ刃の回転により、レザー刃におけるフィルムの切断点を変更するものであることを特徴とする請求項１または２に記載のスリッター装置。
【請求項４】
前記フィルム切断点変更機構は、前記フィルム切断点変更機構は、レザー刃の刃先の沿う方向に、レザー刃の移動により、レザー刃におけるフィルムの切断点を変更することを特徴とする請求項１または２に記載のスリッター装置。
【請求項５】
前記溝付きロールの溝の深さは２．５ｍｍ以上１０ｍｍ以下であることを特徴とする、請求項１〜４のいずれか１項に記載のスリッター装置。
【請求項６】
前記レザー刃は全長４０ｍｍ以上であり、炭素工具鋼で形成され、両面切削され、刃角度が２２度以上３０度以下であることを特徴とする請求項１〜５のいずれか１項に記載のスリッター装置。
【発明の詳細な説明】
【技術分野】
【０００１】
フィルムを切断するスリッター装置に関する。
【背景技術】
【０００２】
ウェブ状で搬送されるフィルムを、溝付きロール上でレザー刃を用いて、切断するスリッター装置がある（特許文献１参照）。
【先行技術文献】
【特許文献】
【０００３】
【特許文献１】特開平１１−３２０４９１号公報
【発明の概要】
【発明が解決しようとする課題】
【０００４】
図６に従来のスリッター装置の概略断面図を示す。ウェブ状で搬送されるフィルム２０を、溝付きロール１０上でレザー刃１を用いて、切断するスリッター装置２００である。溝付きロール１０上で案内されるフィルム２０に、溝のある部分で、レザー刃１が溝付きロール１０上のフィルムを抜いて、溝中まで刃先が侵入し、フィルム２０を切断している。レザー刃１はレザー刃固定具（ホルダー）２に固定されて、ウェブが走行し、切断できるフィルムの量は限られていた。
【０００５】
本発明では、ウェブ状で搬送されるフィルムを、溝付きロール上でレザー刃を用いて、切断するスリッター装置において、レザー刃におけるフィルムの切断位置を自動的に変えることにより、レザー刃の切断できるフィルム量を増加することが実現できるスリッター装置を提供することを目的とする。
【課題を解決するための手段】
【０００６】
本発明は上記課題を解決するためになされたもので、本発明の請求項１に係る発明は、ウェブ状のフィルムの切断を、溝付きロール上でレザー刃を用いて、行うスリッター装置であって、レザー刃におけるフィルムの切断点を変更する、フィルム切断点変更機構と、レーザ刃の切断点変更にともなうレザー刃の下降点が干渉しない溝を有する溝付きロールと、ウェブを搬送する搬送ローラに取り付けられたウェブの搬送距離を検出するエンコーダと、前記エンコーダと、前記レザー刃角度変更機構に通信接続された制御部と、を備え、前記制御部は、前記エンコーダの検出するウェブの搬送距離が所定の搬送距離に到達した時に、前記フィルム切断点変更機構に指示を出し、レザー刃におけるフィルムの切断点を自動的に変更することを行うことを特徴とするスリッター装置である。
【０００７】
本発明の請求項２に係る発明は、前記制御部は、前記エンコーダの検出するウェブの搬送距離が所定の搬送距離に到達した時に、フィルム搬送を停止し、前記フィルム切断点変更機構に指示を出し、レザー刃におけるフィルムの切断点を自動的に変更することを行うことを特徴とする請求項１記載のスリッター装置である。
【０００８】
本発明の請求項３に係る発明は、前記フィルム切断点変更機構は、レザー刃の回転により、レザー刃におけるフィルムの切断点を変更するものであることを特徴とする請求項１または２に記載のスリッター装置である。
【０００９】
本発明の請求項４に係る発明は、前記フィルム切断点変更機構は、レザー刃の刃先の沿う方向に、レザー刃の移動により、レザー刃におけるフィルムの切断点を変更することを
特徴とする請求項１または２に記載のスリッター装置である。
【００１０】
本発明の請求項５に係る発明は、前記溝付きロールの溝の深さは２．５ｍｍ以上１０ｍｍ以下であることを特徴とする、請求項１〜４のいずれか１項に記載のスリッター装置である。
【００１１】
本発明の請求項６に係る発明は、前記レザー刃は全長４０ｍｍ以上であり、炭素工具鋼で形成され、両面切削され、刃角度が２２度以上３０度以下であることを特徴とする請求項１〜５のいずれか１項に記載のスリッター装置である。
【発明の効果】
【００１２】
ウェブ状で搬送されるフィルムを、溝付きロール上でレザー刃を用いて、切断するスリッター装置において、レザー刃の切断位置を自動的に変える、レザー刃の切断できるフィルム量を増加することができる、スリッター装置を提供できる。
【図面の簡単な説明】
【００１３】
【図１】本発明のスリッター装置の模式的断面図。
【図２】本発明のスリッター装置の模式的断面図（フィルム切断点変更機構がレザー刃を回転する場合）（ａ）刃先に沿った線の水平に対する角度θ＝θ１（ｂ）刃先に沿った線の水平に対する角度θ＝θ２の場合。
【図３】本発明のスリッター装置の模式的断面図（フィルム切断点変更機構がレザー刃を回転する場合）（ｃ）刃先に沿った線の水平に対する角度θ＝θ３の場合。
【図４】本発明のスリッター装置の模式的断面図（フィルム切断点変更機構７が刃先の沿う方向にレーザ刃を移動する場合）（ａ）刃の先端と溝付きロールの中心の距離Ｐ＝Ｐ１の場合。（ｂ）刃の先端と溝付きロールの中心の距離Ｐ＝Ｐ２の場合。
【図５】本発明のスリッター装置の模式的断面図（フィルム切断点変更機構が刃先の沿う方向にレーザ刃を移動する場合）（c）刃の先端と溝付きロールの中心の距離Ｐ＝Ｐ３の場合。
【図６】従来のスリッター装置の模式的断面図。
【発明を実施するための形態】
【００１４】
以下本発明の実施形態について、図面を参照して詳細に説明する。
【００１５】
図１は本発明のスリッター装置１００の模式的断面図である。巻出し４０から巻取り５０へ向かうウェブ状のフィルム２０の切断を、溝付きロール１０上でレザー刃１を用いて、行うスリッター装置１００において、レザー刃１におけるフィルム２０の切断点５を変更する、フィルム切断点変更機構７と、レザー刃１の切断点５変更にともなうレザー刃１の下降点が干渉しない深さの溝１１を有する溝付きロール１０と、ウェブを搬送する搬送ロール３０に取り付けられたウェブの搬送距離を検出するエンコーダ３１と、エンコーダ３１と、フィルム切断点変更機構７に通信接続された制御部６０と、を備える。
【００１６】
レザー刃１は、レザー刃固定具（ホルダー）２によって、フィルム切断点変更機構７に固定されている。
【００１７】
制御部６０は、前記エンコーダ３１の検出するウェブの搬送距離が所定の搬送距離に到達した時に、フィルム切断点変更機構７に指示を出し、レザー刃１におけるフィルム２０の切断点５を自動的に変更することを行う。
【００１８】
制御部６０は、エンコーダ３１の検出するウェブ２０の搬送距離が所定の搬送距離に到達した時に、フィルム２０搬送を停止し、フィルム切断点変更機構７に指示を出し、レザ
ー刃１におけるフィルム２０の切断点を自動的に変更することを行うことをやってもよい。
【００１９】
＜フィルム切断点変更機構において、レーザ刃を回転させる形態＞
フィルム切断点変更機構７は、レーザ刃の回転により、レザー刃におけるフィルムの切断点５を変更するものであってもよい。
【００２０】
レザー刃１は、レザー刃固定具（ホルダー）２によって、フィルム切断点変更機構７に固定されている。フィルム切断点変更機構７では、レザー刃１とレザー刃固定具（ホルダー）２を回転すべく、回転中心軸にステッピングモータなど（不図示）を設置し、制御部６０の出す回転指示に対応して、回転し、レザー刃１とそれを固定したレザー刃固定具（ホルダー）２を回転する。
【００２１】
図２、図３は本発明のスリッター装置１００の、フィルム切断点変更機構７がレザー刃１を回転する場合の、模式的断面図であり、刃先に沿った線の水平に対する角度θを模式的にθ１、θ２、θ３と３水準とったときのそれぞれの場合を示す。図２（ａ）は刃先に沿った線の水平に対する角度θ＝θ１、図２（ｂ）はθ＝θ２、図３（ｃ）はθ＝θ３の場合である。
【００２２】
巻出し４０から巻取り５０へ向かうウェブ状のフィルム２０の切断を、溝付きロール１０上でレザー刃１を用いて、行うスリッター装置１００において、エンコーダ３１の検出するウェブの搬送距離が所定の搬送距離に到達した時に、フィルム切断点変更機構７に指示を出し、レーザ刃の回転により、レザー刃におけるフィルムの切断点を変更する。ここでは、模式的に刃先に沿った線の水平に対する角度θを模式的にθ１、θ２、θ３と３水準とって説明する。ウェブの搬送距離が所定の搬送距離に到達した時に、フィルム切断点変更機構７によってレザー刃１は回転し、初期は角度θがθ１（図２（ａ））からθ２（図２（ｂ））、また搬送しての搬送距離が所定の搬送距離に到達した時にθ２（図２（ｂ））からθ３（図３（ｃ））と回転でき、レザー刃１におけるフィルム２０の切断点５を、自動的に変更する。
【００２３】
溝付きロール１０はフィルム切断点変更機構７によるレザー刃１の切断点５変更にともなうレザー刃１の下降点が干渉しない深さの溝１１を有するので、レザー刃１が回転し、θ１、θ２、θ３と、レザー刃１の下降点が溝の奥に近くなっても、干渉しない。以前のスリッターより、溝の深さ１１が深くなっているためである。
【００２４】
＜フィルム切断点変更機構において、レーザ刃１を刃先に沿う方向に移動させる形態＞
フィルム切断点変更機構７は、レザー刃１の刃先の沿う方向に、レザー刃１の移動により、レザー刃１におけるフィルム２０の切断点５を変更するものであってもよい。
【００２５】
レザー刃１は、レザー刃固定具（ホルダー）２によって、フィルム切断点変更機構７に固定されている。フィルム切断点変更機構７では、レザー刃１とレザー刃固定具（ホルダー）２を、レザー刃１の刃先に沿った方向に移動すべく、エアシリンダーなど（不図示）をレザー刃固定具（ホルダー）２脇に配し、制御部６０の出す移動指示に対応して、レザー刃１とレザー刃固定具（ホルダー）２を、レザー刃１の刃先に沿った方向で移動する。
【００２６】
図４、図５は本発明のスリッター装置１００の、フィルム切断点変更機構７が刃先の沿う方向にレーザ刃１を移動する場合の、模式的断面図であり、レザー刃１の先端と溝付きロール１０の中心の距離Ｐを模式的にＰ１、Ｐ２、Ｐ３と３水準とったときのそれぞれの場合を示す。図４（ａ）は刃の先端と溝付きロールの中心の距離Ｐ＝Ｐ１、図４（ｂ）はＰ＝Ｐ２、図５（ｃ）はＰ＝Ｐ３の場合である。
【００２７】
巻出し４０から巻取り５０へ向かうウェブ状のフィルム２０の切断を、溝付きロール１０上でレザー刃１を用いて、行うスリッター装置１００において、エンコーダ３１の検出するウェブの搬送距離が所定の搬送距離に到達した時に、フィルム切断点変更機構７に指示を出し、レザー刃１の刃先の沿う方向にレーザ刃１を移動し、レザー刃におけるフィルムの切断点を変更する。
【００２８】
ここでは、レザー刃１の先端と溝付きロール１０の中心の距離Ｐを模式的にＰ１、Ｐ２、Ｐ３と３水準とって説明する。
【００２９】
ウェブの搬送距離が所定の搬送距離に到達した時に、フィルム切断点変更機構７によってレザー刃１の刃先の沿う方向にレーザ刃１を移動し、初期はＰがＰ１（図４（ａ））の位置にあったものが、Ｐ１（図４（ａ））からＰ２（図４（ｂ））、また搬送しての搬送距離が所定の搬送距離に到達した時にＰ２（図４（ｂ））からＰ３（図５（ｃ））と回転でき、レザー刃１におけるフィルム２０の切断点５を、自動的に変更する。
【００３０】
溝付きロール１０はフィルム切断点変更機構７によるレザー刃１の切断点５変更にともなうレザー刃１の下降点が干渉しない深さの溝１１を有するので、刃先の沿う方向にレーザ刃１が移動し、Ｐ１、Ｐ２、Ｐ３と、レザー刃１の下降点が溝の奥に近くなっても、干渉しない。以前のスリッターより、溝の深さ１１が深くなっているためである。
【００３１】
溝付きロール１０の溝１１の深さは２．５ｍｍ以上１０ｍｍ以下であってもよい。
【００３２】
レザー刃１は全長４０ｍｍ以上であり、炭素工具鋼で形成され、両面切削され、刃角度が２２度以上３０度以下であってもよい。
【００３３】
ウェブ状で搬送されるフィルムを、溝付きロール上でレザー刃を用いて、切断するスリッター装置において、従来のように、レザー刃のフィルムの切断位置が固定されなく、レザー刃の切断位置を自動的に変えるので、レザー刃の切断できるフィルム量を増加することができる、スリッター装置を提供できる。また、レザー刃の管理が、作業者の感によるのではなく、自動的に行えるようになった。
【実施例】
【００３４】
ウェブ状のフィルム２０の切断を、溝付きロール１０上でレザー刃１を用いて、行うスリッター装置１００において、ウェブを搬送する搬送ローラに取り付けられたエンコーダによってウェブの搬送距離が所定の距離に達したら、搬送を停止し、レザー刃角度変更機構７により、レザー刃１の刃先に沿った線の水平に対する角度θを変更し、また、その角度位置で、フィルム２０の切断動作をおこなった。溝付きロール１０の溝１１の深さ５．０ｍｍであり、ウェブの搬送距離で搬送を停止するまでの所定の距離は２０００ｍであり、実施例では総搬送距離２０００ｍと４０００ｍと６０００ｍと３回ウェブを停止させ、レザー刃角度変更機構７により、レザー刃１におけるフィルム２０の切断点５を変更を３回行った。
【００３５】
＜比較例＞
ウェブ状のフィルム２０の切断を、溝付きロール１０上でレザー刃１を用いて、行うスリッター装置２００において、レザー刃１の刃先に沿った線の水平に対する角度θを固定し、その角度位置で、フィルム２０の切断動作をおこなった。溝付きロール１０の溝１１の深さ２．５ｍｍであり、ウェブの搬送距離で搬送を停止するまでの距離は２０００ｍであった。
【００３６】
＜比較結果＞
一枚のレザー刃により、切断できるフィルム量が、実施例では６０００ｍ、比較例では２０００ｍであり、本発明の実施により、フィルムの切断量を増加でき、本発明の効果が確認できた。
【符号の説明】
【００３７】
１・・・レザー刃
２・・・レザー刃固定具（ホルダー）
５・・・切断点
７・・・フィルム切断点変更機構
１０・・・溝付きロール
１１・・・溝
１２・・・溝最深部
２０・・・フィルム
３０・・・搬送ロール
３１・・・エンコーダ
４０・・・巻出し
５０・・・巻取り
６０・・・制御部
１００・・・スリッター装置
２００・・・スリッター装置
【図１】
2020110869.tif 000003
【図２】
2020110869.tif 000004
【図３】
2020110869.tif 000005
【図４】
2020110869.tif 000006
【図５】
2020110869.tif 000007
【図６】
2020110869.tif 000008